(57)【要約】【課題】  幕板の配設施工を上棟業者によって行わせても良好な仕上げを確保できる幕板の取付構造を提供する。【解決手段】  垂直な縦片部８の下端から屋外側に水平に横片部９を突設すると共に横片部９の屋外側先端から上方に引掛爪部１０を突設して引掛具７を形成する。引掛具７の縦片部８を下階の壁パネル１ｂの上端にある横枠３ｂに屋内側から引掛けると共に引掛具７の横片部９を下階の壁パネル１ｂの壁面板５の上端に載置する。引掛具７の引掛爪部１０と下階の壁パネル１ｂの上端にある横枠３ｂとの隙間Ｓに幕板１１の下端に下方に突設した係合突部１２を係合する。幕板１１の上端を上階の壁パネル１ａの下端にある横枠３ａの屋外側に添設すると共にボルト１３にて固定する。【選択図】        図１
2006063754.tif 000002
【特許請求の範囲】
【請求項１】
縦枠と横枠とを組み付けた枠部の屋外側に壁面板を一体に付設した上階の壁パネルと下階の壁パネルとの間に梁を横架し、上階の壁パネルの下端にある横枠を梁の上端に固定すると共に下階の壁パネルの上端にある横枠を梁の下端に固定し、垂直な縦片部の下端から屋外側に水平に横片部を突設すると共に横片部の屋外側先端から上方に引掛爪部を突設して引掛具を形成し、引掛具の縦片部を下階の壁パネルの上端の横枠に屋内側から引掛けると共に引掛具の横片部を下階の壁パネルの壁面板の上端に載置し、引掛具の引掛爪部と下階の壁パネルの上端の横枠との隙間に幕板の下端に下方に突設した引掛突部を係合し、幕板の上端を上階の壁パネルの下端の横枠の屋外側に添設すると共にボルトにて固定したことを特徴とする幕板の取付構造。
【発明の詳細な説明】
【技術分野】
【０００１】
本発明は、幕板の取付構造に関するものである。
【背景技術】
【０００２】
住宅などの建物の建築にあっては、従来工法であれば、柱や梁の組み付けにて骨組状の建物躯体を形成するまでが上棟業者の仕事であり、その後の壁の形成工事や内装工事などは左官業者や大工業者がそれぞれ担当して行っている。しかしながら、パネル工法によると、壁パネルや屋根パネルなどのパネル材は梁や柱などと同様に重量があるため、パネル材の配設作業は柱の立設や梁の架設などのクレーンを用いて行う上棟工事によって、つまり上棟業者によって行われるのが好ましいのである。
【０００３】
なお、上階と下階との間の外壁部分にはパネル材の１つである幕板が配設される。たとえば図７に示すように、建物の上階と下階との間には梁６が横架され、この梁６の下端と下階の壁パネル１ｂの上端とが固定されると共にこの梁６の上端と上階の壁パネル１ａの下端とが固定されており、この梁６の屋外側を覆うように幕板１１が配設されるのであるが、この幕板１１にあっては、梁６の屋外側に位置決めして配置し、幕板１１の下端を下階の壁パネル１ｂに屋外側からビスなどの打設具５２を打設して固定すると共に幕板１１の上端を上階の壁パネル１ａに屋外側からビスなどの打設具５２を打設して固定する、といった取付構造で配設が行われていた。（たとえば、特許文献１参照）
ところで、一般に柱や梁６の組付けなどを行う上棟業者にあっては、柱や梁６の組付けを行わせるボルトの取扱いには慣れている反面、柱や梁６の組付けに用いることの少ないビスなどの打設具５２の取扱いには不慣れなことが多い。したがって、上記図７のような取付構造で上棟業者によって幕板１１が配設された場合では、不慣れな打設具５２の打設作業によって、幕板１１の配設における良好な仕上りが確保されない恐れがあった。なお、この幕板１１の配設作業を打設具５２の扱いに慣れた大工業者によって担わせることも考えられるが、壁の形成施工が壁パネル１の配設を担当する上棟業者と幕板１１の配設を担当する大工業者とで行われて各業者が入り乱れる煩雑なものとなることから好ましくなく、またパネル材の一種である幕板１１は重量物であるので大工業者が一般に所有しないクレーンが別途必要となって大工業者に過大な負担を強いることとなるものである。
【特許文献１】特開２００３−２６８８９１号公報
【発明の開示】
【発明が解決しようとする課題】
【０００４】
本発明は上記の従来の問題点に鑑みて発明したものであって、幕板の配設を上棟業者に担当させても良好な施工性及び仕上りを確保できる幕板の取付構造を提供することを課題とするものである。
【課題を解決するための手段】
【０００５】
上記課題を解決するために本発明に係る幕板の取付構造にあっては、縦枠２と横枠３とを組み付けた枠部４の屋外側に壁面板５を一体に付設した上階の壁パネル１ａと下階の壁パネル１ｂとの間に梁６を横架し、上階の壁パネル１ａの下端にある横枠３ａを梁６の上端に固定すると共に下階の壁パネル１ｂの上端にある横枠３ｂを梁６の下端に固定し、垂直な縦片部８の下端から屋外側に水平に横片部９を突設すると共に横片部９の屋外側先端から上方に引掛爪部１０を突設して引掛具７を形成し、引掛具７の縦片部８を下階の壁パネル１ｂの上端にある横枠３ｂに屋内側から引掛けると共に引掛具７の横片部９を下階の壁パネル１ｂの壁面板５の上端に載置し、引掛具７の引掛爪部１０と下階の壁パネル１ｂの上端にある横枠３ｂとの隙間Ｓに幕板１１の下端に下方に突設した係合突部１２を係合し、幕板１１の上端を上階の壁パネル１ａの下端にある横枠３ａの屋外側に添設すると共にボルト１３にて固定したことを特徴とする。
【０００６】
これによると、幕板１１を配設するには、下階の壁パネル１ｂの上端にある横枠３ｂに引掛具７の縦片部８を引掛けて下階の壁パネル１ｂの壁面板５の上端に引掛具７の横片部９を載置させることで、下階の壁パネル１ｂの上端にある横枠３ｂと引掛具７の引掛爪部１０との間に隙間Ｓを形成し、この隙間Ｓに幕板１１の下端に下方に突設した係合突部１２を上方から挿入することで、幕板１１の下端を引掛具７の横片部９を介して下階の壁パネル１ｂの壁面板５に載置させつつ下階の壁パネル１ｂの上端にある横枠３ｂに係合構造で固定し、このとき幕板１１の位置決め配置がなされるのであり、そして幕板１１の上端を上階の壁パネル１ａの下端にある横枠３ａの屋外側に添設してボルト１３で固定するといった作業で行われる。つまり、幕板１１の位置決め配置は幕板１１の下端を引掛具７を介した係合構造によって簡単に行われるのであり、また、位置決め配置した幕板１１の固定はボルト１３の締結構造で行われているから、ボルトの締結作業を得意とする上棟業者の作業者に良好な仕上りを期して幕板１１の配設作業を行わせることができる。
【発明の効果】
【０００７】
本発明は、幕板の下端の引掛具を用いた係合構造によって幕板の位置決め配置が簡単に行われ、上記位置決め配置された幕板の固定がビスなどの打設具を使用せずにボルトの締結で行われたことで、打設具に扱いに不慣れな上棟業者の作業者であっても簡単な施工作業で良好な仕上りを期して幕板の配設作業を行わせることが可能になるという利点を有している。したがって、このように壁パネルの配設作業と同様に幕板の配設作業も上棟業者に担当させることで、壁形成にかかる全ての施工作業を上棟業者に担当させることができ、壁形成にかかる施工作業を業者の入り乱れない明快なものにできるといった効果も有するのである。
【発明を実施するための最良の形態】
【０００８】
図１乃至図６には本発明の実施の形態の例を示す。図１は上階と下階との境目付近の縦断面図であり、図２は壁パネル１の壁面板５及び幕板１１を透視した図１の正面図であり、図３は図１のＡ部分の拡大図であり、図４は図１のＢ部分の拡大図である。
【０００９】
建物の上階と下階との間には、ウェブ６ａの上下にフランジ６ｂを設けた水平方向に長尺のＩ形鋼から構成された構造材としての梁６が横架されている。この梁６は、その上端で上階の床パネル５０を図示しない支持金具によって支持すると共にその下端で下階の天井下地５１を支持し、また、建物外壁を形成する壁パネル１（上階の壁パネル１ａ，下階の壁パネル１ｂ）を固定させている。ここで、この壁パネル１は、底片１４の屋内外端部からそれぞれ側片１５を突出した断面コ字状の横枠３と縦枠２とを矩形状に組付けて金属製の枠部４を形成し、この枠部４の屋外側にＡＬＣパネルなどから構成した壁面板５をビスなどの締結具１６によって上記枠部４に貼着したことで形成されている。詳しくは、壁パネル１の上下端部にはそれぞれ横枠３が位置されており、この壁パネル１の上下端の各横枠３における屋外側には壁面板５が重ならないようにされている。換言すると、壁パネル１の上端に位置した横枠３と壁面板５の上端との間、及び壁パネル１の下端に位置した横枠３と壁面板５の下端との間には、それぞれ屋内外方向に貫通する隙間空間ｓ１，ｓ２が形成されているのである。また、壁パネル１の上下端の各横枠３の底片１４には上下に貫通する貫通孔１７がそれぞれ穿孔されている。
【００１０】
梁６の上側のフランジ６ｂ１には取付基片１８が溶着にて固着されている。取付基片１８は水平片部１９と垂直片部２０とからなる縦断面Ｌ字板状の短尺または長尺の金属製部材である。なお、取付基片１８の垂直片部２０には屋内外方向に貫通する貫通孔２１が穿孔されている。この取付基片１８は、水平片部１９を梁６の上側のフランジ６ｂ１の上面に重ねて溶着させることで、梁６から垂直上方に垂直片部２０を突設させた状態で梁６に固着されている。また、この取付基片１８の長手方向の適所には上階の壁パネル１ａを載置固定させる載置取付片２２が取付けられる。載置取付片２２は、上階の壁パネル１ａを載置する水平片部２３を有し、この水平片部２３の屋内側端部に上方に盛り上がる山型に屈曲されたフック部２４及び垂直下方に屈曲された垂直片部２５をそれぞれ形成した金属製部材である。なお、載置取付片２２の水平片部２３には上下に貫通する貫通孔２６が穿孔されており、また垂直片部２５には屋内外方向に貫通する貫通孔２７が穿孔されている。この載置取付片２２は、載置取付片２２のフック部２４を取付基片１８の垂直片部２０に上方から引掛け、載置取付片２２の垂直片部２５を取付基片１８の垂直片部２０の屋外側に沿わせ、取付基片１８の垂直片部２０及び載置取付片２２の垂直片部２５の各貫通孔２１，２７を連通させ、この連通した各貫通孔２１，２７にボルト２８ａを挿通してナット２８ｂに締結させることで、取付基片１８に取付けられている。そして、上階の壁パネル１ａは、下端に位置する横枠３ａを載置取付片２２の水平片部２３に載置させ、この横枠３ａの底片１４と載置取付片２２の水平片部２３との各貫通孔１７，２６を連通させ、この連通した各貫通孔１７，２６にボルト２９ａを挿通してナット２９ｂに締結させることで、載置取付片２２に取付けられている。このように上階の壁パネル１ａは載置取付片２２及び取付基片１８を介して梁６の上端に固定されている。
【００１１】
下階の壁パネル１ｂはその上端を梁６の下端の長手方向の適所にクランプ取付具３０を介して固定される。クランプ取付具３０は、一端を下階の壁パネル１ｂの上端にある横枠３ｂに固定すると共に他端を梁６の下側のフランジ６ｂ２に引掛ける本体部材３０ａと、一端を本体部材３０ａに連結すると共に他端を本体部材３０ａと協働して梁６の下側のフランジ６ｂ２を挟み込むようにこのフランジ６ｂ２に引掛ける挟込部材３０ｂとで構成されている。詳しくは、本体部材３０ａは、下階の壁パネル１ｂの上端にある横枠３ｂに載置する水平板状の載置部３１と、この載置部３１の屋内側から垂直上方に立ち上がる垂直板状の連結部３２と、この連結部３２の上端から屋内側に水平に突出されてこの突出先端から垂直上方に爪部３４を突設させた挟持部３３とを有して構成されている。なお、載置部３１には上下に貫通する貫通孔３５が穿孔され、連結部３２には屋内外方向に貫通する貫通孔３６が穿孔されている。また、挟込部材３０ｂは、垂直板状の連結部３７と、連結部３７の上端から屋外側に水平に突出されてこの突出先端から垂直上方に爪部３９を突設させた挟持部３８とを有して構成されている。なお、連結部３７には屋内外方向に貫通する貫通孔４０が穿孔されている。本体部材３０ａは、下階の壁パネル１ｂの上端にある横枠３ｂの上面に載置部３１を載置し、横枠３ａの底片１４と載置部３１との各貫通孔１７，３５を連通させ、この連通した各貫通孔１７，３５にボルト４１ａを挿通してナット４１ｂに締結させることで、下階の壁パネル１ｂの上端にある横枠３ｂに固定されるのであり、その挟持部３３の爪部３４を梁６の下側のフランジ６ｂ２に屋内側から引掛ける。挟込部材３０ｂは、連結部３７を本体部材３０ａの連結部３２に屋外側から当接させ、本体部材３０ａの連結部３２と挟込部材３０ｂの連結部３７との各連通孔３６，４０を連通させ、この連通した各貫通孔３６，４０にボルト４２ａを挿通してナット４２ｂに締結させることで、本体部材３０ａに一体に連結されるのであり、その挟持部３８の爪部３９を梁６の下側のフランジ６ｂ２に屋外側から引掛ける。本体部材３０ａと挟込部材３０ｂとを一体に連結したクランプ取付具３０によると、本体部材３０ａの挟持部３３の爪部３４と挟込部材３０ｂの挟持部３８の爪部３９とで梁６の下側のフランジ６ｂ２が屋内外方向から挟持されるのであり、下階の壁パネル１ｂはクランプ取付具３０を介して梁６の下端に固定されるのである。
【００１２】
上記のように上階の壁パネル１ａ及び下階の壁パネル１ｂは梁６の上下端にそれぞれ固定されるのであるが、この上階の壁パネル１ａ及び下階の壁パネル１ｂの各壁面板５の間には梁６を屋外側から覆うように幕板１１が配設される。幕板１１は、上階の壁パネル１ａ及び下階の壁パネル１ｂの各壁面板５間の寸法から後述する引掛具７の引掛爪部１０の突出高さを引いた寸法よりも小さい高さ寸法を有すると共に壁パネル１の壁面板５と略同じ厚み寸法を有するＡＬＣパネルで構成されており、幕板１１の上部には屋外側に大径部４３ａが開口すると共に屋内側に小径部４３ｂが開口する貫通孔４３が穿孔され、この貫通孔４３にアンカー部材４４が埋設されており、また幕板１１の下端には下方に突出する係合突部１２が形成されている。詳しくは、アンカー部材４４は、図５のように雌ネジ孔４５ａを穿孔した筒胴部４５の一端に周方向に亙って突出するつば部４６を形成した金属部材であり、つば部４６を幕板１１の貫通孔の大径部４３ａと小径部４３ｂとの段部に当接させて小径部４３ｂに筒胴部４５を挿入することで、幕板１１の貫通孔４３に埋設されている。また、幕板１１の下端部位における屋外側端部はコーキング材を充填させるための切欠４７が形成されているが、係合突部１２は幕板１１の下端部位における上記切欠４７の残りの部位がこれを構成している。つまり、係合突部１２は幕板１１の下端部位における屋内側端部から下方に突出する部位である。そして、この幕板１１は下階の壁パネル１ｂの壁面板５と上階の壁パネル１ａの壁面板５との間で各壁パネル１の壁面板５と面一状態になるように配設されるのであるが、幕板１１の配設にあっては、具体的には、幕板１１の下端部位を下階の壁パネル１ｂに係合構造によって固定させると共に、幕板１１の上端部位を上階の壁パネル１ａにボルト１３によって固定させることで行われるのであり、以下に詳述する。
【００１３】
幕板１１の下端部位を下階の壁パネル１ｂに固定するには引掛具７を用いて行われている。引掛具７は、垂直な縦片部８の下端から屋外側に水平に横片部９を突設すると共に、横片部９の屋外側先端から上方に引掛爪部１０を縦片部８よりも低く突設してなる縦断面Ｊ字状の金属製のピース材であり、下階の壁パネル１ｂの上端にある横枠３ｂの適所で配置されて使用される。なお、下階の壁パネル１ｂの上端にある横枠３ｂは水平な底片１４の屋内外側の端部からそれぞれ側片１５を垂下してなる下方に開口する断面コ字状に形成されており、この横枠３ｂの下端と壁面板５の上端との間には引掛具７の縦片部８の上下寸法よりも小さい隙間寸法を有する隙間空間ｓ１が形成されている。下階の壁パネル１ｂの上端にある横枠３ｂに引掛具７を配置するには、引掛具７を傾けて縦片部８を略水平にした上でこの縦片部８を上記隙間空間ｓ１を介して枠部４内に挿入し、その後、縦片部８を略垂直にするべく引掛具７を傾けるのであり、略垂直にした縦片部８を横枠３ｂの屋外側の側片１５に屋内側から引掛け、横片部９を壁面板５の上端に載置するようにして行われる。このように引掛具７を下階の壁パネル１ｂの上端にある横枠３ｂに配置した状態では、引掛具７の引掛爪部１０と下階の壁パネル１ｂの上端にある横枠３ｂとが隙間Ｓを隔てて対向配置される。そして、この隙間Ｓに幕板１１の係合突部１２を嵌め込むように係合させることで、引掛爪部１０と共に縦片部８が横枠３ｂに屋外側から強く当接して係止するのである。つまり、幕板１１の下端は、下階の壁パネル１ｂの壁面板５の上端に載置された状態で、且つ、下階の壁パネル１ｂの上端にある横枠３ｂの屋外側に添設された状態で、下階の壁パネル１ｂの横枠３ｂに係止された引掛具７を介して、下階の壁パネル１ｂに係合状態でぐらつきなく固定されるのである。このとき、幕板１１の下端と下階の壁パネル１ｂの壁面板５との間の屋外側の部位では幕板１１の下端の切欠４７による隙間ｓ３が形成されるが、この隙間ｓ３には図示しないコーキング材が充填されるのであり、幕板１１の下端と下階の壁パネル１ｂの壁面板５との間に防水処理が施されるのである。
【００１４】
幕板１１の上端部位を上階の壁パネル１ａに固定するにはボルト１３に加えて補助板具４８を用いて行われている。この補助板具４８は、図６のように上部域４８ａを下部域４８ｂに比べて屋外側に微少に屈曲させ、上部域４８ａには屋内外方向に貫通する貫通孔４９を穿孔した矩形板状の金属製のピース材であり、上階の壁パネル１ａの下端にある横枠３ａに引掛けるようにして使用される。なお、上階の壁パネル１ａの下端にある横枠３ａは水平な底片１４の屋内外側の端部からそれぞれ側片１５を垂直に立上げてなる上方に開口する断面コ字状に形成されており、この横枠３ａの上端と壁面板５の下端との間には補助板具４８の上部域４８ａの上下長さ寸法よりも大きい隙間寸法を有する隙間空間ｓ２が形成されている。この補助板具４８は、上部域４８ａにある貫通孔４９を幕板１１の上部に埋設されたアンカー部材４４の雌ネジ孔４５ａに連通させるように、下部域４８ｂを上階の壁パネル１ａの下端にある横枠３ａの屋外側の側片１５に屋内側から添わせて配置される。そして、この補助板具４８は貫通孔４９に屋内側からボルト１３を挿通させ、このボルト１３の先端を幕板１１に埋設したアンカー部材４４の雌ネジ孔４５ａに締結させることで、その上部域４８ａが幕板１１の屋内側の面に沿って固定されると共にその下部域４８ｂが幕板１１の屋内側の面との協働で横枠３ａの屋外側の側片１５を挟持するのであって、これにより幕板１１の上端部位を上階の壁パネル１ａに固定させるのである。なお、幕板１１の上端と上階の壁パネル１ａの壁面板５との間には幕板１１の高さ寸法による隙間ｓ４ができるが、この隙間ｓ４には図示しないコーキング材が充填されるのであり、幕板１１の上端と上階の壁パネル１ａの壁面板５との間に防水処理が施されるのである。また、アンカー部材４４が埋設される幕板１１の貫通孔４３の大径部４３ａにも防水処理を期して屋外側からコーキング材を充填するのが好ましい。また、補助板具４８の上階の壁パネル１ａへの配置位置は本例のように引掛具７の下階の壁パネル１ｂへの取付位置の直上位置に設定するのが好ましく、これにより幕板１１の安定した配設が期待できる。また、本例の補助板具４８はボルト１３を雌ネジ孔４５ａに締結させるときにボルト１３と一緒に回転して施工が煩雑になることもあるので、たとえば補助板具４８を上階の壁パネル１ａに配置したときに補助板具４８の下端を上階の壁パネル１ａの下端にある横枠３ａの底片１４に線接触状態で当接させたり、補助板具４８に上階の壁パネル１ａの下端にある横枠３ａに引掛ける爪などを複数設けたりして、補助板具４８に回転規制を施して施工性を高めることも好ましい。
【００１５】
上述のように幕板１１の上階の壁パネル１ａと下階の壁パネル１ｂとの間への配設は、幕板１１の下端を下階の壁パネル１ｂに係合構造で固定させると共に、幕板１１の上端を上階の壁パネル１ａに補助板具４８及びボルト１３を用いて固定させることで行われている。この幕板１１の配設にかかる具体的な作業としては、まず、下階の壁パネル１ｂの上端にある横枠３ｂに引掛具７を取付け、次に、幕板１１を上階の壁パネル１ａの下端にある横枠３ａと下階の壁パネル１ｂの上端にある横枠３ｂとの間に屋外側から沿わせるように配置し、次に、上記幕板１１を垂直下方にスライドさせて引掛具７の引掛爪部１０と下階の壁パネル１ｂの上端にある横枠３ｂとの隙間Ｓに幕板１１の係合突部１２を上方から挿入し、次に、幕板１１の上端の雌ネジ孔４５ａに貫通孔４９を連通させるようにして上階の壁パネル１ａの下端にある横枠３ａに補助板具４８を屋内側から沿わせて配置し、そして、ボルト１３を補助板具４８の貫通孔４９に屋内側から挿通させて幕板１１の雌ネジ孔４５ａに締結させることで、補助板具４８と幕板１１との協働で上階の壁パネル１ａの下端にある横枠３ａを挟持させ、幕板１１の上端部位を上階の壁パネル１ａの下端にある横枠３ａに固定させるといった作業で行われている。
【００１６】
ここで、下階の壁パネル１ｂの上端にある横枠３ｂへの引掛具７の取付けは横枠３ｂへの引掛具７の係合にて行われ、また幕板１１の下端の引掛具７を介した横枠３ｂへの固定は隙間Ｓへの幕板１１の係合突部１２の係合にて行われているから、一連の施工作業を係合といった簡単な作業で行うことができ、施工性の向上が図られているのである。なお、係合によって幕板１１の下端を横枠３ｂに固定した状態では幕板１１の下端は壁パネル１ｂの壁面板５の上に載置されて幕板１１の位置決め配置がされるのであり、その後の幕板１１の上端の上階の壁パネル１ａの下端にある横枠３ａへの固定作業の容易化が図られ、この点でも施工性の向上が図られているのである。また、幕板１１の上端の横枠３ａへの固定にあってはビスなどの打設具５２（図７参照）を使用せずにボルト１３の締結にて行われているが、これにより、ビスなどの打設具５２に扱いに不慣れな上棟業者の作業者であっても良好な仕上りを期して幕板１１の配設作業を行わせ得るようにされているのである。ここで、幕板１１は壁パネル１と同様にパネル材であり、上記のように壁パネル１の配設作業と同様に幕板１１の配設作業も上棟業者に担当させると、壁形成のためのパネル材の配設作業の全てを上棟業者によって担わせることができるのであり、しかして壁形成の施工時に業者が入り乱れる煩雑性を回避でき、たとえば工事納期の短縮化などを図ることができるのである。更に言うと、幕板１１の配設にあっては、幕板１１の下端での固定は引掛具７を介した係合構造によって行われ、幕板１１の上端での固定においてのみボルト１３が使用されているから、幕板１１を配設するのに使用するボルトの数を極力少なくする配慮がされているのであり、この点でも幕板１１の配設にかかる施工性の向上が図られている。
【００１７】
ところで、本例の幕板１１の取付構造にあっては幕板１１の下端部位は係合構造のみで下階の壁パネル１ｂに固定させているが、適宜、添設状態にある幕板１１の下端部位と下階の壁パネル１ｂの上端にある横枠３ｂとを屋外側からのビスなどの打設具の打設によって固着させても好ましい。この場合には打設具を打設した分だけ幕板１１の配設強度を向上できる。なお、この打設具の打設作業は、既に固定状態にある幕板１１の下端部位と下階の壁パネル１ｂの上端にある横枠３ｂとに対して施すものなので、幕板１１の配置位置決めなどを伴わない比較的簡単な作業であり、良好な仕上りが期待できるのは言うまでもない。
【図面の簡単な説明】
【００１８】
【図１】本発明の実施の形態の例の縦断面図である。
【図２】同上の一部を透視した正面図である。
【図３】図１のＡ部分の拡大図である。
【図４】図１のＢ部分の拡大図である。
【図５】同上のアンカー部材の斜視図である。
【図６】同上の補助板具であって、（ａ）は正面図であり、（ｂ）は縦断面図である。
【図７】背景技術の例を示す縦断面図である。
【符号の説明】
【００１９】
１  壁パネル
１ａ  上階の壁パネル
１ｂ  下階の壁パネル
２  縦枠
３  横枠
３ａ  上階の壁パネルの下端の横枠
３ｂ  下階の壁パネルの上端の横枠
４  枠部
５  壁面板
６  梁
７  引掛具
８  縦片部
９  横片部
１０  引掛爪部
１１  幕板
１２  係合突部
１３  ボルト
Ｓ  隙間
【図１】
2006063754.tif 000003
【図２】
2006063754.tif 000004
【図３】
2006063754.tif 000005
【図４】
2006063754.tif 000006
【図５】
2006063754.tif 000007
【図６】
2006063754.tif 000008
【図７】
2006063754.tif 000009